(57)【特許請求の範囲】
【請求項１】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンＡＵＴＯモードにおいて、前記ファンが回転した状態では、前記測定手段により測定された内部温度が前記第２の閾値未満となっても前記第２の温度情報の表示を継続し、前記ファン制御手段によって前記ファンが停止されると前記第２の温度情報を非表示とするように制御し、
前記ファンＯＮモードにおいて、前記ファンが回転している状態で前記測定手段により測定された内部温度が前記第２の閾値未満となると前記第２の温度情報に代えて前記第１の温度情報を表示するように制御する表示制御手段と、を有することを特徴とする表示制御装置。
【請求項２】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンが回転した状態では、前記測定手段により測定された内部温度が前記第２の閾値未満となっても前記第２の温度情報の表示を継続し、前記ファン制御手段によって前記ファンが停止されると前記第２の温度情報を非表示とするように制御し、
画像を再生するモードでは、前記ファンが回転しているか否かに関わらず、前記第１の閾値以上、前記第２の閾値未満の際には前記第１の温度情報を表示し、前記第２の閾値以上である場合には前記第２の温度情報を表示するように制御する表示制御手段と、を有することを特徴とする表示制御装置。
【請求項３】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンが回転した状態では、前記測定手段により測定された内部温度が前記第２の閾値未満となっても前記第２の温度情報の表示を継続し、前記ファン制御手段によって前記ファンが停止されると前記第２の温度情報を非表示とするように制御し、
前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられると前記第２の温度情報に代えて前記第１の温度情報を表示するように制御する表示制御手段と、を有することを特徴とする表示制御装置。
【請求項４】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報を非表示とし、前記ファンの動作を通知するファン情報を表示し、前記ファンが回転している状態では前記測定手段により測定された内部温度に関わらず前記第１の温度情報および前記第２の温度情報を表示しないように制御する表示制御手段と、を有することを特徴とする表示制御装置。
【請求項５】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンＡＵＴＯモードにおいて、前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
前記ファンＯＮモードにおいて、前記ファンが回転している状態で前記測定手段により測定された内部温度が前記第２の閾値未満となると前記第２の温度情報に代えて前記第１の温度情報を表示するように制御する表示制御手段と、を有することを特徴とする表示制御装置。
【請求項６】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
画像を再生するモードでは、前記ファンが回転しているか否かに関わらず、前記第１の閾値以上、前記第２の閾値未満の際には前記第１の温度情報を表示し、前記第２の閾値以上である場合には前記第２の温度情報を表示するように制御する表示制御手段と、を有することを特徴とする表示制御装置。
【請求項７】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられると前記ファン情報を非表示にして前記第１の温度情報を表示するように制御する表示制御手段と、を有することを特徴とする表示制御装置。
【請求項８】
前記ファンを常に回転させるファンＯＮモードまたは前記測定手段により測定された内部温度に応じて自動的にファンの回転を制御するファンＡＵＴＯモードにファンの動作モードを切り替えるモード切替手段を更に有し、
前記表示制御手段は、前記ファンＡＵＴＯモードで前記温度情報の表示制御を行い、前記ファンＯＮモードで前記ファンが回転している状態で前記測定手段により測定された内部温度が前記第２の閾値未満となると前記第２の温度情報に代えて前記第１の温度情報を表示することを特徴とする請求項２、４、６のいずれか１項に記載の表示制御装置。
【請求項９】
前記ファンの動作モードが、画像を撮影するモードでは前記ファンＡＵＴＯモード、画像を再生するモードでは前記ファンＯＮモードに自動的に切り替わることを特徴とする請求項８に記載の表示制御装置。
【請求項１０】
前記ファンＡＵＴＯモードでのファンの回転中の場合には、前記ファンの動作モードの切り替えが不可とされることを特徴とする請求項８に記載の表示制御装置。
【請求項１１】
ファンにエラーが発生したと判定された場合には、前記ファンの動作モードの切り替えが不可とされることを特徴とする請求項８に記載の表示制御装置。
【請求項１２】
前記第１の温度情報および前記第２の温度情報は温度警告を行うためのアイコンであることを特徴とする請求項１ないし１１のいずれか１項に記載の表示制御装置。
【請求項１３】
前記表示制御手段は、前記測定手段により測定された内部温度が前記開始用閾値以上となってファンを回転させるときに、前記ファン情報の他に、ファンが回転し始めたことを通知する表示を行うことを特徴とする請求項４ないし７のいずれか１項に記載の表示制御装置。
【請求項１４】
前記表示制御手段は、画像を再生するモードでは、ファンが回転しているか否かに関わらず、前記第１の閾値以上、前記第２の閾値未満の際には第１の温度警告アイコンを表示し、前記第２の閾値以上である場合には第２の温度警告アイコンを表示するように制御することを特徴とする請求項１２に記載の表示制御装置。
【請求項１５】
前記表示制御手段は、前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられると前記第２の温度情報に代えて前記第１の温度情報を表示するように制御することを特徴とする請求項１、３、５のいずれか１項に記載の表示制御装置。
【請求項１６】
前記ファンを常に回転させるファンＯＮモードまたは前記測定手段により測定された内部温度に応じて自動的にファンの回転を制御するファンＡＵＴＯモードにファンの動作モードを切り替えるモード切替手段を更に有し、
前記表示制御手段は、前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられるとファン情報を非表示にして前記第１の温度情報を表示するように制御することを特徴とする請求項２、４、６のいずれか１項に記載の表示制御装置。
【請求項１７】
前記表示制御装置は、動画を撮影する撮像手段を更に有する撮像装置であることを特徴とする請求項１ないし１６のいずれか１項に記載の表示制御装置。
【請求項１８】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンＡＵＴＯモードにおいて、前記ファンが回転した状態では、前記測定手段により測定された内部温度が前記第２の閾値未満となっても前記第２の温度情報の表示を継続し、前記ファンが停止されると前記第２の温度情報を非表示とするように制御し、
前記ファンＯＮモードにおいて、前記ファンが回転している状態で前記測定手段により測定された内部温度が前記第２の閾値未満となると前記第２の温度情報に代えて前記第１の温度情報を表示するように制御する表示制御工程と、を有することを特徴とする表示制御方法。
【請求項１９】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンが回転した状態では、前記測定手段により測定された内部温度が前記第２の閾値未満となっても前記第２の温度情報の表示を継続し、前記ファン制御工程によって前記ファンが停止されると前記第２の温度情報を非表示とするように制御し、
画像を再生するモードでは、前記ファンが回転しているか否かに関わらず、前記第１の閾値以上、前記第２の閾値未満の際には前記第１の温度情報を表示し、前記第２の閾値以上である場合には前記第２の温度情報を表示するように制御する表示制御工程と、を有することを特徴とする表示制御方法。
【請求項２０】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンが回転した状態では、前記測定手段により測定された内部温度が前記第２の閾値未満となっても前記第２の温度情報の表示を継続し、前記ファン制御工程によって前記ファンが停止されると前記第２の温度情報を非表示とするように制御し、
前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられると前記第２の温度情報に代えて前記第１の温度情報を表示するように制御する表示制御工程と、を有することを特徴とする表示制御方法。
【請求項２１】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報を非表示とし、前記ファンの動作を通知するファン情報を表示し、前記ファンが回転している状態では前記測定手段により測定された内部温度に関わらず前記第１の温度情報および前記第２の温度情報を表示しないように制御する表示制御工程と、を有することを特徴とする表示制御方法。
【請求項２２】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記ファンＡＵＴＯモードにおいて、前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
前記ファンＯＮモードにおいて、前記ファンが回転している状態で前記測定手段により測定された内部温度が前記第２の閾値未満となると前記第２の温度情報に代えて前記第１の温度情報を表示するように制御する表示制御工程と、を有することを特徴とする表示制御方法。
【請求項２３】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
画像を再生するモードでは、前記ファンが回転しているか否かに関わらず、前記第１の閾値以上、前記第２の閾値未満の際には前記第１の温度情報を表示し、前記第２の閾値以上である場合には前記第２の温度情報を表示するように制御する表示制御工程と、を有することを特徴とする表示制御方法。
【請求項２４】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、
前記測定手段により測定された内部温度が前記開始用閾値以上となると、前記第２の温度情報とともに前記ファンの動作を通知するファン情報を表示し、前記ファンが回転している状態で、前記測定手段により測定された内部温度が前記第２の閾値未満となると前記ファン情報は表示して前記第２の温度情報は非表示とするように制御し、
前記測定手段により測定された内部温度が第３の閾値以上となってファンを回転させた後、装置の内部が冷却されて前記第１の閾値以上、前記第２の閾値未満となった期間において、前記ファンＡＵＴＯモードから前記ファンＯＮモードに切り替えられると前記ファン情報を非表示にして前記第１の温度情報を表示するように制御する表示制御工程と、を有することを特徴とする表示制御方法。
【請求項２５】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記ファンが回転した状態では、前記測定手段により測定された内部温度が前記特定の閾値未満となっても前記特定の温度情報の表示を継続し、前記ファン制御手段によって前記ファンが停止されると前記特定の温度情報を非表示とするように制御し、
前記ファンＯＮモードにおいて、前記ファンが回転している状態で前記測定手段により測定された内部温度が前記特定の閾値未満となると前記特定の温度情報を非表示とするように制御する表示制御手段と、を有することを特徴とする表示制御装置。
【請求項２６】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が特定の閾値以上となると特定の温度情報を表示するように制御し、
前記ファンが回転した状態では、前記測定手段により測定された内部温度が前記特定の閾値未満となっても前記特定の温度情報の表示を継続し、前記ファン制御手段によって前記ファンが停止されると前記特定の温度情報を非表示とするように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御手段と、を有することを特徴とする表示制御装置。
【請求項２７】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が特定の閾値以上となると特定の温度情報を表示するように制御し、
前記ファンが回転した状態では、前記測定手段により測定された内部温度が前記特定の閾値未満となっても前記特定の温度情報の表示を継続し、前記ファン制御手段によって前記ファンが停止されると前記特定の温度情報を非表示とするようにし、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記特定の温度情報を非表示とするように制御する表示制御手段と、を有することを特徴とする表示制御装置。
【請求項２８】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記ファンが回転した状態では、前記測定手段により測定された内部温度が前記特定の閾値未満となっても前記特定の温度情報の表示を継続し、前記ファン制御工程によって前記ファンが停止されると前記特定の温度情報を非表示とするように制御し、
前記ファンＯＮモードにおいて、前記ファンが回転している状態で前記測定手段により測定された内部温度が前記特定の閾値未満となると前記特定の温度情報を非表示とするように制御する表示制御工程と、を有することを特徴とする表示制御方法。
【請求項２９】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が特定の閾値以上となると特定の温度情報を表示するように制御し、
前記ファンが回転した状態では、前記測定手段により測定された内部温度が前記特定の閾値未満となっても前記特定の温度情報の表示を継続し、前記ファン制御工程によって前記ファンが停止されると前記特定の温度情報を非表示とするように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御工程と、を有することを特徴とする表示制御方法。
【請求項３０】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が特定の閾値以上となると特定の温度情報を表示するように制御し、
前記ファンが回転した状態では、前記測定手段により測定された内部温度が前記特定の閾値未満となっても前記特定の温度情報の表示を継続し、前記ファン制御工程によって前記ファンが停止されると前記特定の温度情報を非表示とするようにし、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記特定の温度情報を非表示とするように制御する表示制御工程と、を有することを特徴とする表示制御方法。
【請求項３１】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
前記ファンＯＮモードにおいて、前記ファンが回転している状態で前記測定手段により測定された内部温度が前記特定の閾値未満となると前記特定の温度情報を非表示とするように制御する表示制御手段と、を有することを特徴とする表示制御装置。
【請求項３２】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御手段と、を有することを特徴とする表示制御装置。
【請求項３３】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記ファン情報を非表示にして前記特定の温度情報を表示するように制御する表示制御手段と、を有することを特徴とする表示制御装置。
【請求項３４】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
前記ファンＯＮモードにおいて、前記ファンが回転している状態で前記測定手段により測定された内部温度が前記特定の閾値未満となると前記特定の温度情報を非表示とするように制御する表示制御工程と、を有することを特徴とする表示制御方法。
【請求項３５】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御工程と、を有することを特徴とする表示制御方法。
【請求項３６】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報を非表示とし、前記ファンの動作を通知するファン情報を表示し、前記ファンが回転している状態では前記測定手段により測定された内部温度に関わらず前記特定の温度情報を表示しないように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記ファン情報を非表示にして前記特定の温度情報を表示するように制御する表示制御工程と、を有することを特徴とする表示制御方法。
【請求項３７】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
前記ファンＯＮモードにおいて、前記ファンが回転している状態で前記測定手段により測定された内部温度が前記特定の閾値未満となると前記特定の温度情報を非表示とするように制御する表示制御手段と、を有することを特徴とする表示制御装置。
【請求項３８】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御手段と、を有することを特徴とする表示制御装置。
【請求項３９】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記ファン情報を非表示にして前記特定の温度情報を表示するように制御する表示制御手段と、を有することを特徴とする表示制御装置。
【請求項４０】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
前記ファンＯＮモードにおいて、前記ファンが回転している状態で前記測定手段により測定された内部温度が前記特定の閾値未満となると前記特定の温度情報を非表示とするように制御する表示制御工程と、を有することを特徴とする表示制御方法。
【請求項４１】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御工程と、を有することを特徴とする表示制御方法。
【請求項４２】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が特定の閾値以上となると特定の温度情報を表示するように制御し、
前記測定手段により測定された内部温度が前記開始用閾値以上となると、前記特定の温度情報とともに前記ファンの動作を通知するファン情報を表示し、前記ファンが回転している状態で、前記測定手段により測定された内部温度が前記特定の閾値未満となると前記ファン情報は表示して前記特定の温度情報は非表示とするように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記ファン情報を非表示にして前記特定の温度情報を表示するように制御する表示制御工程と、を有することを特徴とする表示制御方法。
【請求項４３】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンＡＵＴＯモードにおいて、前記ファンが回転していない状態では、前記測定手段により測定された内部温度が特定の閾値以上となると特定の温度情報を表示するように制御し、
前記ファンＡＵＴＯモードにおいて、前記ファンが回転した状態では、前記測定手段により測定された内部温度に基づかずに前記特定の温度情報を表示するように制御し、
前記ファンＯＮモードにおいて、前記ファンが回転している状態で前記測定手段により測定された内部温度が前記特定の閾値未満となると前記特定の温度情報を非表示とするように制御する表示制御手段と、を有することを特徴とする表示制御装置。
【請求項４４】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンが回転していない状態では、前記測定手段により測定された内部温度が特定の閾値以上となると特定の温度情報を表示するように制御し、
前記ファンが回転した状態では、前記測定手段により測定された内部温度に基づかずに前記特定の温度情報を表示するように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御手段と、を有することを特徴とする表示制御装置。
【請求項４５】
装置の内部温度を測定する測定手段と、
装置の内部を冷却するためのファンと、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、
前記ファンを常に回転させるファンＯＮモードまたは前記測定手段により測定された内部温度に応じて自動的にファンの回転を制御するファンＡＵＴＯモードにファンの動作モードを切り替えるモード切替手段と、
前記ファンが回転していない状態では、前記測定手段により測定された内部温度が特定の閾値以上となると特定の温度情報を表示するように制御し、
前記ファンが回転した状態では、前記測定手段により測定された内部温度に基づかずに前記特定の温度情報を表示するように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記特定の温度情報を非表示とするように制御する表示制御手段と、を有することを特徴とする表示制御装置。
【請求項４６】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンＡＵＴＯモードにおいて、前記ファンが回転していない状態では、前記測定手段により測定された内部温度が内部温度が特定の閾値以上となると特定の温度情報を表示するように制御し、
前記ファンＡＵＴＯモードにおいて、前記ファンが回転した状態では、前記測定手段により測定された内部温度に基づかずに前記特定の温度情報を表示するように制御し、
前記ファンＯＮモードにおいて、前記ファンが回転している状態で前記測定手段により測定された内部温度が前記特定の閾値未満となると前記特定の温度情報を非表示とするように制御する表示制御工程と、を有することを特徴とする表示制御方法。
【請求項４７】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンが回転していない状態では、前記測定手段により測定された内部温度が特定の閾値以上となると特定の温度情報を表示するように制御し、
前記ファンが回転した状態では、前記測定手段により測定された内部温度に基づかずに前記特定の温度情報を表示するように制御し、
画像を再生するモードでは、前記ファンが回転しているか否かに関わらず、前記特定の閾値未満の際には前記特定の温度情報を表示せず、前記特定の閾値以上である場合には前記特定の温度情報を表示するように制御する表示制御工程と、を有することを特徴とする表示制御方法。
【請求項４８】
装置の内部温度を測定する測定手段と、装置の内部を冷却するためのファンと、を有する装置の表示制御方法であって、
前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御工程と、
前記ファンを常に回転させるファンＯＮモードまたは前記測定手段により測定された内部温度に応じて自動的にファンの回転を制御するファンＡＵＴＯモードにファンの動作モードを切り替えるモード切替工程と、
前記ファンが回転していない状態では、前記測定手段により測定された内部温度が特定の閾値以上となると特定の温度情報を表示するように制御し、
前記ファンが回転した状態では、前記測定手段により測定された内部温度に基づかずに前記特定の温度情報を表示するように制御し、
前記測定手段により測定された内部温度が前記開始用閾値以上となってファンを回転させた後、装置の内部が冷却されて前記停止用閾値以上、前記特定の閾値未満となった期間において、前記ファンＡＵＴＯモードから前記ファンＯＮモードに切り替えられると前記特定の温度情報を非表示とするように制御する表示制御工程と、を有することを特徴とする表示制御方法。
【請求項４９】
コンピュータを、請求項１乃至１７、２５乃至２７、３１乃至３３、３７乃至３９、４３乃至４５のいずれか１項に記載された表示制御装置の各手段として機能させるためのプログラム。
【請求項５０】
コンピュータを、請求項１乃至１７、２５乃至２７、３１乃至３３、３７乃至３９、４３乃至４５のいずれか１項に記載された表示制御装置の各手段として機能させるためのプログラムを格納したコンピュータが読み取り可能な記憶媒体。
【発明の詳細な説明】
【技術分野】
【０００１】
本発明は、冷却用のファンを有する装置における温度情報の表示制御技術に関する。
【背景技術】
【０００２】
近年、映画撮影に代表される制作用途向けのカメラは、３５ｍｍのフィルムカメラからデジタルビデオカメラ（以下、カメラ）への置き換えが進んでいる。制作用途向けのカメラは、センサーに大判のＣＭＯＳセンサを使用していることや、高解像度の映像を扱うことを特徴としている。
【０００３】
このようなカメラでは、回路の高集積化が進んでいる一方、コストダウンや取り回しの良さを求めてカメラの小型化が進んでいるため、発熱が大きな問題となってきている。多くのカメラでは、発熱対策としてファンを搭載することで放熱を行っているが、動画の撮影を行う場合は音の収録も同時に行われることが多いため、ファンが動作することによって、その音が記録されてしまうことが問題視されている。
【０００４】
そこで、そのような騒音対策として、ファンの動作をカメラの内部温度や記録動作の開始／停止に連動して自動的に制御することが、一部のカメラでは行われている。また、このような制御を行うカメラでは、ファンが回転しないことを望むユーザがいることが考えられるため、ファンが回転を始めたことを通知する手段を提供することが求められる。
【０００５】
一方で、自動的にファンを制御するような場合であっても、一定の条件で動作してしまうため、その騒音を気にするような撮影現場では、ファンが動作しないようにカメラの内部温度を監視することが求められる。カメラの内部温度の監視方法としては、例えばカメラに備え付けられている表示装置にアイコンを表示する方法があり、カメラの内部温度に応じて段階的に切り替わるようにすれば、ファンが動作しないように監視しながらカメラを使用することができる。このようなアイコン表示を行うための閾値は、カメラの内部温度の上昇特性や、カメラの構成部品であるＩＣの温度限界など、カメラの動作を保証する温度に合わせて決められるべきものである。
【０００６】
特許文献１には、カメラ内部の温度が所定温度に達すると自動的にファンを動作させるカメラにおいて、ファンを動作させる前にインジケータを表示して、ファンの始動を撮影者に予告することが開示されている。
【先行技術文献】
【特許文献】
【０００７】
【特許文献１】特開２０００−２８７１１１号公報
【発明の概要】
【発明が解決しようとする課題】
【０００８】
上記特許文献１のように撮影者に予告するだけでは、ファンを動作させたくないユーザがファンが回転しないように自分自身でカメラを管理することが難しいため、より詳細なカメラの内部温度の情報表示を合わせて行うことが求められる。一方で、カメラ内部の温度上昇の表示の閾値とファンの回転動作の制御の閾値は、それぞれに最適化された温度に設定されるべきものであるため、この２つの閾値は全く異なるものである可能性が高い。そのため、それぞれが別々に動作すると、ファンの動作と表示に矛盾を感じる場合が発生することが懸念される
本発明は、上記課題に鑑みてなされ、その目的は、装置の内部温度の通知を行うための閾値と、ファンの制御を行うための閾値を適正なものに保ったまま、ユーザを混乱させることなく、装置の内部温度とファンの制御の関連性がわかるようにすることである。
【課題を解決するための手段】
【０００９】
上記課題を解決し、目的を達成するために、本発明の表示制御装置は、装置の内部温度を測定する測定手段と、装置の内部を冷却するためのファンと、前記測定手段により測定された内部温度が開始用閾値以上となると前記ファンを回転させ、前記ファンを回転した状態で前記測定手段により測定された内部温度が前記開始用閾値よりも低い停止用閾値未満となると前記ファンを停止するように制御するファン制御手段と、前記ファンを常に回転させるファンＯＮモードまたは前記測定手段により測定された内部温度に応じて自動的にファンの回転を制御するファンＡＵＴＯモードにファンの動作モードを切り替えるモード切替手段と、前記ファンＡＵＴＯモードにおいて、前記ファンが回転していない状態では、前記測定手段により測定された内部温度が第１の閾値以上となると第１の温度情報を表示し、前記測定手段により測定された内部温度が前記第１の閾値よりも高く、かつ前記停止用閾値よりも高い第２の閾値以上となると前記第１の温度情報に代えて第２の温度情報を表示するように制御し、前記ファンＡＵＴＯモードにおいて、前記ファンが回転した状態では、前記測定手段により測定された内部温度が前記第２の閾値未満となっても前記第２の温度情報の表示を継続し、前記ファン制御手段によって前記ファンが停止されると前記第２の温度情報を非表示とするように制御し、前記ファンＯＮモードにおいて、前記ファンが回転している状態で前記測定手段により測定された内部温度が前記第２の閾値未満となると前記第２の温度情報に代えて前記第１の温度情報を表示するように制御する表示制御手段と、を有する。
【発明の効果】
【００１０】
本発明によれば、装置の内部温度の通知を行うための閾値と、ファンの制御を行うための閾値を適正なものに保ったまま、ユーザを混乱させることなく、装置の内部温度とファンの制御の関連性がわかるようになる。
【図面の簡単な説明】
【００１１】
【図１】本発明に係る実施形態のデジタルビデオカメラの外観図。
【図２】本実施形態のデジタルビデオカメラの構成を示すブロック図。
【図３】実施形態１のアイコンの表示例を示す図。
【図４】実施形態１のアイコン／ファン制御を示すフローチャート。
【図５】実施形態１のファンＡＵＴＯモードにおけるアイコン／ファン制御を示すフローチャート。
【図６】実施形態１のファンＯＮモードにおけるアイコン／ファン制御を示すフローチャート。
【図７】ファン動作モードの設定画面（ａ）およびメッセージの表示例（ｂ）を示す図。
【図８】ファンＯＮモードにおけるカメラの内部温度と閾値との関係を示す図。
【図９】ファンＯＮモードにおけるアイコン表示とファン動作の関係を示す図。
【図１０】ファンＡＵＴＯモードにおけるカメラの内部温度と閾値との関係を示す図。
【図１１】ファンＡＵＴＯモードにおけるアイコン表示とファン動作の関係を示す図。
【図１２】実施形態２のファンＡＵＴＯモードにおけるアイコン／ファン制御を示すフローチャート。
【図１３】実施形態２のファンＯＮモードにおけるアイコン／ファン制御を示すフローチャート。
【図１４】実施形態３のファンＡＵＴＯモードにおけるアイコン／ファン制御を示すフローチャート。
【発明を実施するための形態】
【００１２】
以下、図面を参照しながら本発明の表示制御をデジタルビデオカメラなどの撮像装置に適用した実施の形態について詳細に説明する。
【００１３】
＜装置構成＞図１及び図２を参照して、本実施形態のデジタルビデオカメラの構成及び機能について説明する。
【００１４】
以下に、本発明を実施するための形態について添付図面を参照して詳細に説明する。
【００１５】
図１に本実施形態のデジタルビデオカメラの外観図を示す。表示部１０１は画像や各種情報を表示する表示部である。撮影ボタン１０２は撮影指示を行うための操作部である。モード切替スイッチ１０３は各種モードを切り替えるための操作部である。コネクタ１０７は接続ケーブル１０８とデジタルビデオカメラ１００とのコネクタである。操作部１０４はユーザからの各種操作を受け付ける各種スイッチ、ボタン、タッチパネル等の操作部材よりなる操作部である。コントローラホイール１０６は操作部１０４に含まれる回転操作可能な操作部材である。１０５は電源スイッチであり、電源オン、電源オフを切り替える。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルビデオカメラ１００との通信が可能となる。蓋１１１は記録媒体スロット１１０の蓋である。デジタルビデオカメラ内部には、ファンユニット１１２が設けられている。
【００１６】
図２に本実施形態のデジタルビデオカメラの構成を示す。撮影レンズ２０３はズームレンズ、フォーカスレンズを含むレンズ群である。撮像部２０５は光学像を電気信号に変換するＣＣＤやＣＭＯＳ素子等で構成される撮像素子である。Ａ／Ｄ変換器２０６は、撮像部２０５から出力されるアナログ信号をデジタル信号に変換する。バリア２０２は、デジタルビデオカメラ１００の、撮影レンズ２０３を含む撮像系を覆うことにより、撮影レンズ２０３、シャッター２０４、撮像部２０５を含む撮像系の汚れや破損を防止する。
【００１７】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。画像処理部２０７では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを記憶する。メモリ２１０は、所定枚数の静止画や所定時間の動画および音声を記憶するのに十分な記憶容量を備えている。
【００１９】
また、メモリ２１０は画像表示用のメモリ（ビデオメモリ）を兼ねている。Ｄ／Ａ変換器２０８は、メモリ２１０に記憶されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一度Ａ／Ｄ変換されメモリ２１０に蓄積されたデジタル信号をＤ／Ａ変換器２０８においてアナログ変換し、表示部１０１に逐次転送して表示することで、電子ビューファインダとして機能し、スルー画像表示を行える。
【００２０】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述するフローチャートを実行するためのプログラムのことである。また、不揮発性メモリ２１３には、後述する温度センサ２１６で取得した温度情報に基づいて表示部１０１にアイコンなどの表示を行うための基準となる閾値情報が格納され、システム制御部２０１は、このアイコン表示を行うための判定を行う。バックアップメモリ２１８は、電気的に消去・記録可能なメモリであり、例えば、ＥＥＰＲＯＭやＳＲＡＭ等が用いられる。バックアップメモリ２１８には、ユーザ設定情報等が記憶される。
【００２１】
システム制御部２０１は、デジタルビデオカメラ１００全体を制御する。システム制御部２０１は、ＣＰＵが前述した不揮発性メモリ２１３に記録されたプログラムを実行することで、後述するフローチャートの各処理を実現する。２１２はシステムメモリであり、ＲＡＭが用いられる。システムメモリ２１２には、システム制御部２０１の動作用の定数、変数、不揮発性メモリ２１３から読み出したプログラム等を展開する。また、システム制御部２０１はメモリ２１０、Ｄ／Ａ変換器２０８、表示部１０１等を制御することにより表示制御も行う。
【００２２】
システムタイマー２１１は各種制御に用いる時間や、内蔵された時計の時間を計測する計時部である。
【００２３】
撮影ボタン１０２、モード切替スイッチ１０３、操作部１０４はシステム制御部２０１に各種の動作指示を入力するための操作手段である。
【００２４】
モード切替スイッチ１０３は、システム制御部２０１の動作モードを、静止画撮影モード、動画撮影モード、再生モード等のいずれかに切り替える。静止画撮影モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ１０３で、静止画撮影モードに含まれるこれらのモードのいずれかに直接切り替えられる。あるいは、モード切替スイッチ１０３で静止画撮影モードに一旦切り替えた後に、静止画撮影モードに含まれるこれらのモードのいずれかに、他の操作部材を用いて切り替えるようにしても良い。同様に、動画撮影モードにも複数のモードが含まれていても良い。
【００２５】
システム制御部２０１は、撮影ボタン１０２の操作をトリガとして、撮像部２０５からの信号読み出しから記録媒体１０９への画像データの書き込みまでの一連の動作を開始する。
【００２６】
操作部１０４の各操作部材は、表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、ショートカットボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２７】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルビデオカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでも良い。例えば、ユーザの回転操作に応じてコントローラホイール１０６自体が回転してパルス信号を発生するダイヤル操作部材であっても良い。また、タッチセンサからなる操作部材で、コントローラホイール１０６自体は回転せず、コントローラホイール１０６上でのユーザの指の回転動作などを検出するものであっても良い（いわゆる、タッチホイール）。
【００２８】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００２９】
電源部２１５は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ２１９は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００３０】
ファンユニット１１２は、デジタルビデオカメラ内部の発熱によって、カメラ本体の内部温度が上昇することを抑制するための冷却機構であり、システム制御部２０１により回転が制御される。
【００３１】
温度センサ２１６は、カメラ本体の内部温度、特に高温になることが想定されているブロックの温度を測定するための温度検出部であり、サーミスタなどが用いられる。
【００３２】
マイク２１７は、動画撮影やボイスレコーダ機能を実行する際に音声を電気信号に変換して記録するためのマイクロフォンである。
【００３３】
＜表示例＞次に、図３を参照して、本実施形態のデジタルビデオカメラによる表示例について説明する。
【００３４】
本実施形態のデジタルビデオカメラは、ファンを常に回転させるファンＯＮモードと、カメラの内部温度に応じて自動的にファンの回転を制御するファンＡＵＴＯモードがあり、ユーザが何れかのモードを選択して設定することができる。
【００３５】
また、本実施形態においては、上記ファンＡＵＴＯモードにおいて、表示部１０１に温度情報を表す第１、第２の温度警告アイコンを表示するとともに、ファンの動作の開始／停止に伴う動作状態を表すファン情報を表示する。
【００３６】
また、本実施形態では、不揮発性メモリ２１３に、ファンの回転を開始するための開始用閾値やファンを停止するための停止用閾値として用いられる、第１の閾値、第２の閾値、第３の閾値が記憶されている。各閾値の大小関係は第１の閾値＜第２の閾値＜第３の閾値である。
【００３７】
システム制御部２０１は、カメラの内部温度と各閾値とを比較し、カメラの内部温度が開始用閾値以上となるとファンを回転させ、ファンを回転した状態でカメラの内部温度が開始用閾値よりも低い停止用閾値未満となるとファンを停止するように制御する。
【００３８】
図３（ａ）〜（ｃ）に、表示部１０１における、カメラの内部温度を通知する温度警告アイコンと、ファンの動作を通知するファンアイコンの表示例を示す。なお、図３では、表示部１０１に撮影画像（動画）が表示されてい状態を例示している。
【００３９】
まず、ファンＡＵＴＯモードにおける表示例について説明する。
【００４０】
カメラの内部温度が第１の閾値より低い場合には、ファンは回転させず、温度警告アイコンとファンアイコンのいずれも表示されない（不図示）。
【００４１】
カメラの内部温度が第１の閾値以上となると、第２の閾値未満であるうちは、図３（ａ）のように、第１の温度警告アイコン３０１が表示される。第１の温度警告アイコン３０１は、例えば黄色のアイコンであり、まだカメラの動作にさほど影響はないがカメラの内部温度が上昇してきたことを警告するための第１の温度情報を表すアイコンである。このときもまだファンは回転させない。
【００４２】
カメラの内部温度が更に上昇して第２の閾値以上となると、第３の閾値未満であるうちは、図３（ｂ）のように、第１の温度警告アイコン３０１に代えて第２の温度警告アイコン３０２が表示される。第２の温度警告アイコン３０２は、例えば赤色のアイコンであり、カメラの内部温度がさらに上昇しており、カメラの動作に影響を与えかねない温度に達しそうであることを警告するための第２の温度情報を表すアイコンである。このときもまだファンは回転させない。
【００４３】
カメラの内部温度が更に上昇して第３の閾値以上となると、システム制御部２０１は、カメラの内部温度を下げるために、ファンを回転し始めるとともに、図３（ｃ）のように、ファンが回転中であることを示すファンアイコン３０３を表示させる。ファンが回転することで、通常であればカメラの内部温度は次第に低下する。カメラの内部温度が低下して、第３の閾値を下回っても、ファンは回転したままとし、第２の温度警告アイコン３０２とファンアイコン３０３の表示を継続する（図３（ｃ）の表示を継続する）。更にカメラの内部温度が低下して、第２の閾値を下回っても、ファンは回転したままとし、第２の温度警告アイコン３０２とファンアイコン３０３の表示を継続する（図３（ｃ）の表示を継続する）。更にカメラの内部温度が低下して、第１の閾値を下回った場合には、システム制御部２０１はファンをの回転を停止させ、第２の温度警告アイコン３０２とファンアイコン３０３が消去される（非表示とする）。
【００４４】
このように、ファンＡＵＴＯモードでは、カメラの内部温度が第１の閾値以上、第２の閾値未満である状態でも、ファンが回転していない場合と、一旦カメラの内部温度が第３の閾値以上となってファンが回転している場合とで、表示されるアイコンが異なる。
【００４５】
次に、ファンＯＮモードにおける表示例について説明する。ファンＯＮモードではカメラの内部温度に関わらず常にファンを回転させる。
【００４６】
カメラの内部温度が第１の閾値より低い場合には、温度警告アイコンとファンアイコンのいずれも表示されない（不図示）。このとき、ファンは回転しているがファンアイコン３０３は表示されない。
【００４７】
カメラの内部温度が上昇して第１の閾値以上となると、第２の閾値未満であるうちは、図３（ａ）のように、第１の温度警告アイコン３０１が表示される。このとき、ファンは回転しているがファンアイコン３０３は表示されない。
【００４８】
カメラの内部温度が更に上昇して第２の閾値以上となると、図３（ｂ）のように、第１の温度警告アイコン３０１に代えて第２の温度警告アイコン３０２が表示される。カメラの内部温度が更に上昇して第３の閾値以上となったとしても、第２の温度警告アイコン３０２の表示が継続され、ファンアイコン３０３は表示されない。
【００４９】
カメラの内部温度が第２の閾値以上となっていた状態から第２の閾値を下回ると、図３（ａ）のように、第２の温度警告アイコン３０２に代えて第１の温度警告アイコン３０１が表示される。さらにカメラの内部温度が低下して第１の閾値未満となると、第１の温度警告アイコン３０１が消去される（非表示とする）。
【００５０】
このように、ファンＯＮモードでは、カメラの内部温度が第１の閾値以上、第２の閾値未満である状態では常に図３（ｂ）のようなアイコンが表示される。
【００５１】
以下、上述したアイコン表示制御とファン制御を行うための各種処理について詳述する。なお、以下に説明するフローチャートは、何れも、不揮発性メモリ２１３に記録されたプログラムをシステム制御部２０１（より詳しくはＣＰＵ）がシステムメモリ２１２に展開して実行することにより実現する。
【００５２】
図４に、実施形態１のアイコン／ファン制御のフローチャートを示す。
【００５３】
デジタルビデオカメラの電源がオンとなると、システム制御部２０１は、図４の処理を開始する。
【００５４】
Ｓ４０１では、システム制御部２０１は、不揮発性メモリ２１３を参照し、現在のファン動作モードがファンＡＵＴＯモードであるか否かを判定する。ファンＡＵＴＯモードであると判定するとＳ４０２に進み、そうでない場合、すなわちファンＯＮモードである場合にはＳ４０３に進む。
【００５５】
Ｓ４０２では、システム制御部２０１は、ファンＡＵＴＯモードにおけるアイコン／ファン制御を行う。ファンＡＵＴＯモードにおけるアイコン／ファン制御の詳細については、図５を用いて後述する。
【００５６】
一方、ファンＯＮモードである場合、Ｓ４０３では、システム制御部２０１は、ファンを回転させる。続いてＳ４０４で、ファンＯＮモードにおけるアイコン／ファン制御を行う。ファンＯＮモードにおけるアイコン／ファン制御の詳細については、図６を用いて後述する。
【００５７】
Ｓ４０５では、システム制御部２０１は、アイコン／ファン制御を終了させるイベントがあったか否かを判定する。アイコン／ファン制御を終了させるイベントとは、例えば、デジタルビデオカメラの電源をオフとする操作がある。終了イベントがなかったと判定するとＳ４０１に戻って処理を繰り返す。終了イベントがあった場合にはアイコン／ファン制御を終了する。
【００５８】
図５に、ファンＡＵＴＯモードにおけるアイコン／ファン制御を示す。この処理は、前述した図４のＳ４０２の処理の詳細である。
【００５９】
Ｓ５０１において、システム制御部２０１は、ファンが停止中であるか否かを判定する。停止中である場合はＳ５０２に進み、そうでない場合（ファンが回転中の場合）にはＳ５１１に進む。
【００６０】
Ｓ５０２では、システム制御部２０１は、温度センサ２１６から現在のカメラの内部温度を取得し、第１の閾値以上となっているか否かを判定する。第１の閾値以上でない場合はＳ５０４に進み、そうでない場合はＳ５０５に進む。
【００６１】
Ｓ５０４では、システム制御部２０１は、温度警告アイコンとファンアイコンが表示されている場合には全て解除する（非表示とする）。もともと非表示であった場合には特に何もしない。
【００６２】
カメラの内部温度が第１の閾値以上である場合、Ｓ５０５では、システム制御部２０１は、温度センサ２１６から現在のカメラの内部温度を取得し、第２の閾値以上となっているか否かを判定する。第２の閾値以上でない場合はＳ５０６に進み、そうでない場合はＳ５０７に進む。
【００６３】
Ｓ５０６では、システム制御部２０１は、第１の温度警告アイコン３０１を表示部１０１に表示する。撮影している画像を表示している場合には、撮影画像に重畳して表示する。この結果、前述の図３（ａ）のように表示される。
【００６４】
カメラの内部温度が第２の閾値以上である場合、Ｓ５０７では、システム制御部２０１は、温度センサ２１６から現在のカメラの内部温度を取得し、第３の閾値以上となっているか否かを判定する。第３の閾値以上である場合はＳ５０９に進み、そうでない場合はＳ５０８に進む。
【００６５】
Ｓ５０８では、システム制御部２０１は、第２の温度警告アイコン３０２を表示部１０１に表示する。撮影している画像を表示している場合には、撮影画像に重畳して表示する。それまで第１の温度警告アイコン３０１を表示していた場合には第１の温度警告アイコン３０１に代えて第２の温度警告アイコン３０２を表示する。この結果、前述の図３（ｂ）のように表示される。
【００６６】
カメラの内部温度が第３の閾値以上である場合、Ｓ５０９では、システム制御部２０１は、ファンを回転させる。なお、このとき、ファンが自動的に回転を開始することをユーザに通知するために、図７（ｂ）のようなメッセージを所定時間（数秒程度）表示してもよい。また、Ｓ５１０で、表示部１０１にファンアイコン３０３を表示する。この結果、前述の図３（ｃ）のように表示される。
【００６７】
一方、Ｓ５１１（ファンが回転中）では、システム制御部２０１は、温度センサ２１６から現在のカメラの内部温度を取得し、第１の閾値未満となっているか否かを判定する。第１の閾値未満である場合はＳ５１２に進み、第１の閾値以上である場合にはＳ５１４に進む。
【００６８】
Ｓ５１２では、システム制御部２０１は、表示されている第２の温度警告アイコン３０２とファンアイコン３０３を消去する（全解除する）。そして、Ｓ５１３で、システム制御部２０１は、回転しているファンを停止する。なお、ここではファンを停止させる停止用閾値の温度を第１の閾値としたが、第２の閾値より低い温度であれば他の温度であってもよい。ファンを停止させる停止用閾値の温度を第２の閾値よりも低い温度とすることで、ファンを停止した後に再度温度上昇が始まり、すぐに第３の閾値を超えてファンが回転し始めてしまい、ファンの停止と回転が頻繁に切り替わってしまうことを防ぐことができる。
【００６９】
Ｓ５１４では、システム制御部２０１は、ファンメニュー呼び出し操作があったか否かを判定する。ファンメニュー呼び出し操作は、例えば、ユーザが操作部１０４に含まれるメニューボタンを押下してファン設定メニューを選択する操作である。ファンメニュー呼び出し操作があった場合はＳ５１５に進み、そうでない場合はＳ５１７に進む。
【００７０】
Ｓ５１５では、システム制御部２０１は、表示部１０１にファンメニューを表示する。図７（ａ）にファンメニューの表示例を示す。ファンメニューには、ファンＯＮモードを設定するための選択肢と、ファンＡＵＴＯモードを選択するための選択肢が表示される。ユーザは操作部１０４に含まれる上下ボタンを操作して任意の選択肢を選択し、ＳＥＴボタンを押下することにより所望のファンの動作モードを設定することができる。
【００７１】
Ｓ５１６では、システム制御部２０１は、ファンメニューで現在設定されているファン動作モード（すなわちファンＡＵＴＯモード）が変更されたか否かを判定する。ファン動作モードが変更されていない場合はＳ５１７に進み、ファン動作モードが変更された（すなわちファンＯＮモードに切り替えられた）場合は図４のＳ４０３に進み、ファンを回転させ、ファンＯＮモードにおけるアイコン／ファン制御を行う。なお、ファンが停止している状態からＳ４０３に進んでファンを回転させる場合には、図７（ｂ）のようにファンを回転させることをユーザに通知する表示を行っても良い。
【００７２】
Ｓ５１７では、システム制御部２０１は、アイコン／ファン制御を終了させるイベントがあったか否かを判定する。アイコン／ファン制御を終了させるイベントとは、例えば、デジタルビデオカメラの電源をオフとする操作がある。終了イベントがなかったと判定するとＳ５０１に戻って処理を繰り返す。終了イベントがあった場合にはファンＡＵＴＯモードにおけるアイコン／ファン制御を終了する。
【００７３】
図６に、ファンＯＮモードにおけるアイコン／ファン制御を示す。この処理は、前述した図４のＳ４０４の処理の詳細である。
【００７４】
Ｓ６０１において、システム制御部２０１は、温度センサ２１６から現在のカメラの内部温度を取得し、第１の閾値以上となっているか否かを判定する。第１の閾値未満である場合はＳ６０２に進み、第１の閾値以上である場合はＳ６０３に進む。
【００７５】
Ｓ６０２では、システム制御部２０１は、温度警告アイコンとファンアイコンが表示されている場合には全て解除する（非表示とする）。もともと非表示であった場合には特に何もしない。
【００７６】
Ｓ６０３では、システム制御部２０１は、温度センサ２１６から現在のカメラの内部温度を取得し、第２の閾値以上となっているか否かを判定する。第２の閾値未満である場合はＳ６０４に進み、第２の閾値以上である場合はＳ６０５に進む。
【００７７】
Ｓ６０４では、システム制御部２０１は、第１の温度警告アイコン３０１を表示部１０１に表示する。撮影している画像を表示している場合には、撮影画像に重畳して表示する。この結果、前述の図３（ａ）のように表示される。
【００７８】
Ｓ６０５では、システム制御部２０１は、第２の温度警告アイコン３０２を表示部１０１に表示する。撮影している画像を表示している場合には、撮影画像に重畳して表示する。それまで第１の温度警告アイコン３０１を表示していた場合には第１の温度警告アイコン３０１に代えて第２の温度警告アイコン３０２を表示する。この結果、前述の図３（ｂ）のように表示される。
【００７９】
Ｓ６０６では、システム制御部２０１は、ファンメニュー呼び出し操作があったか否かを判定する。これは前述した図５のＳ５１４と同様の処理である。ファンメニュー呼び出し操作があった場合はＳ６０７に進み、そうでない場合はＳ６１１に進む。
【００８０】
Ｓ６０７では、システム制御部２０１は、表示部１０１にファンメニューを表示する。これは前述した図５のＳ５１５と同様の処理である。
【００８１】
Ｓ６０８では、システム制御部２０１は、ファンメニューで現在設定されているファン動作モード（すなわちファンＯＮモード）が変更されたか否かを判定する。ファン動作モードが変更されていないと判定するとＳ６１１に進み、ファン動作モードが変更された（すなわちファンＡＵＴＯモードに設定された）と判定するとＳ６０９に進む。
【００８２】
Ｓ６０９では、システム制御部２０１は、温度センサ２１６から現在のカメラの内部温度を取得し、第３の閾値以上となっているか否かを判定する。第３の閾値以上である場合にはファンを回転させたまま前述した図４のＳ４０２に進み、ファンＡＵＴＯモードにおけるアイコン／ファン制御を行う。第３の閾値未満である場合にはＳ６１０に進み、ファンを停止させた後、前述した図４のＳ４０２に進み、ファンＡＵＴＯモードにおけるアイコン／ファン制御を行う。
【００８３】
Ｓ６１１では、システム制御部２０１は、アイコン／ファン制御を終了させるイベントがあったか否かを判定する。アイコン／ファン制御を終了させるイベントとは、例えば、デジタルビデオカメラの電源をオフとする操作がある。終了イベントがなかったと判定するとＳ６０１に戻って処理を繰り返す。終了イベントがあった場合にはファンＯＮモードにおけるアイコン／ファン制御を終了する。
【００８４】
図８に、ファンＡＵＴＯモードにおける温度変動グラフを示す。縦軸がカメラの内部温度、横軸が経過時間である。
【００８５】
前述の図５のアイコン／ファン制御によれば、時刻ｔ１前の期間（１）では、温度警告アイコンとファンアイコンは表示されない。時刻ｔ１〜ｔ２の期間（２）では、カメラの内部温度が第１の閾値以上、第２の閾値未満なので、図３（ａ）のように第１の温度警告アイコン３０１が表示される。時刻ｔ２〜ｔ３の期間（３）では、カメラの内部温度が第２の閾値以上、第３の閾値未満なので、図３（ｂ）のように第２の温度警告アイコン３０２が表示される。期間（１）〜（３）ではファンは回転されない。
【００８６】
時刻ｔ３からはカメラの内部温度が第３の閾値以上となるのでファンの回転を開始させ、図３（ｃ）のようにファンアイコン３０３が表示される。ファンが回転し始めたので、時刻ｔ４からは通常であればカメラの内部温度は減少に転じる。その後、カメラの内部温度が第１の閾値を下回るまで、すなわち期間（４）〜（６）でファンが回転され、第２の温度警告アイコン３０２とファンアイコン３０３の表示を継続する。時刻ｔ６でカメラの内部温度が第１の閾値より低くなると、ファンが停止され、第２の温度警告アイコン３０２とファンアイコン３０３が消去される。
【００８７】
図９に、図８の各期間において、ファンＡＵＴＯモードからファンＯＮモードに切り替えられたときのアイコン表示とファン動作の関係を示す。
【００８８】
図８の期間（１）で、ユーザがファン動作モードをファンＡＵＴＯモードからファンＯＮモードに切り替えた場合は、システム制御部２０１は、アイコンは非表示のままにするが、ファンＯＮモードに切り替わることによってファンが回転を始める。この動作は、期間（７）でも同様である。同様にして、期間（２）ではアイコン表示は第１の温度警告アイコン３０１から変化しないが、ファンは回転を始める。期間（３）ではアイコン表示は期間（２）の場合とは異なり第２の温度警告アイコン３０２であるものの、アイコン表示の状態は変化することなく、ファンは回転を始める。期間（４）と期間（５）では、ファンＡＵＴＯモードでもファンは回転しているため、ファンＯＮモードに切り替えられてファンの回転状態は変化しないが、アイコン表示は期間（３）と同じ第２の温度警告アイコン３０２に切り替わる（ファンアイコン３０３は消去される）。期間（６）では、ファンＡＵＴＯモードでもファンは回転しているため、ファンＯＮモードに切り替えられてもファンの回転状態は変化しないが、アイコン表示はファンアイコン３０３が消去されて、期間（２）と同じ第１の温度警告アイコン３０１に切り替わる。
【００８９】
図１０に、ファンＯＮモードにおける温度変動グラフを示す。縦軸がカメラの内部温度、横軸が経過時間である。
【００９０】
前述の図６のアイコン／ファン制御によれば、時刻Ｔ１前の期間＜１＞では、温度警告アイコンとファンアイコンは表示されない。時刻Ｔ１〜Ｔ２の期間＜２＞では、カメラの内部温度が第１の閾値以上、第２の閾値未満なので、図３（ａ）のように第１の温度警告アイコン３０１が表示される。時刻Ｔ２〜Ｔ５の期間＜３＞〜＜５＞では、カメラの内部温度が第２の閾値以上なので、図３（ｂ）のように第２の温度警告アイコン３０２が表示される。時刻Ｔ５〜Ｔ６の期間＜６＞では、カメラの内部温度が第１の閾値以上、第２の閾値未満なので、図３（ａ）のように第１の温度警告アイコン３０１が表示される。時刻Ｔ６以降の期間＜７＞では、温度警告アイコンとファンアイコンは表示されない。
【００９１】
図１１に、図１０の各期間において、ファンＯＮモードからファンＡＵＴＯモードに切り替えられたときのアイコン表示とファン動作の関係を示す。
【００９２】
図１０の期間＜１＞で、ユーザがファン動作モードをファンＯＮモードからファンＡＵＴＯモードに切り替えた場合は、システム制御部２０１は、アイコンは非表示のままにするが、ファンＡＵＴＯモードで回転する温度に達していないためファンを停止させる。この動作は、期間＜７＞でも同様である。同様にして、期間＜２＞と期間＜６＞ではアイコン表示（第１の温度警告アイコン３０１）は変化しないで、ファンを停止する。期間＜３＞と期間＜５＞では、アイコン表示は期間＜２＞と異なる第２の温度警告アイコン３０２であるものの、アイコン表示は変化しないで、ファンを停止させる。期間＜４＞では、ＡＵＴＯモードでもファンが回転する温度に到達しているため、システム制御部２０１はファンの回転状態は変化させないが、アイコン表示はファンＡＵＴＯモードのものに切り替える（ファンアイコン３０３が表示される）。
【００９３】
なお、本実施形態では、ファンメニューにおいてファン動作モードを切り替える例について説明したが、デジタルビデオカメラが撮影モードで動作しているか再生モードで動作しているかに応じて自動的に切り替えても良い。すなわち、ファンの騒音が撮影されている動画の音声として記録されるおそれのある撮影モードではファンをＡＵＴＯモードで動作させ、ファンの騒音の影響のない再生モードでは、ファンＯＮモードに切り替えて冷却を優先するように動作させてもよい。
【００９４】
また、ファンＡＵＴＯモードであっても、ファンの騒音の影響のない再生モードでは、ファンが回転しているか否かに関わらず、第１の閾値以上、第２の閾値未満の場合には第１の温度警告アイコン３０１、第２の閾値以上である場合には第２の温度警告アイコン３０２を表示するようにしても良い。すなわち再生モードであれば図８の期間（６）では第１の温度警告アイコン３０１を表示するようにしても良い。
【００９５】
以上説明した実施形態１によれば、カメラの内部温度が第３の閾値以上となってファンを回転させた後、カメラの内部温度が低下して第１の閾値以上、第２の閾値未満となった期間（すなわち、図８における期間（６））においては、第２の温度警告アイコン３０２とファンアイコン３０３を表示する。これは、カメラの内部温度が同じく第１の閾値以上、第２の閾値未満である、ファンが回転する前の期間（２）と温度警告アイコンの表示形態が異なる。このように、ファン回転中は、ファンを停止すべき温度（第１の閾値）まで冷却されるまでは、ファン停止中よりも警告レベルの高い温度警告アイコンを表示する。このようにしている理由について説明する。
【００９６】
第３の閾値以上となった時点でファンを一旦回転させた後、仮に第３の閾値または第２の閾値を下回った時点でファンを停止させてしまうと、またすぐにカメラの内部温度が上昇して第３の閾値以上となってしまい、ファンを再度回転させることになる。これでは、ファンの回転と停止が頻繁に切り替わることになり、動作が安定しない。従って、第３の閾値以上となって一旦ファンを回転し始めたら、十分に冷却されるまではファンを回転し続けることが好ましい。そこで、本実施形態では、ファンの回転を開始する第３の閾値よりも、ファンの回転を停止する閾値の方が十分低い温度となるように、第１の閾値を下回るとファンを停止させるように制御している。この場合、ファンが回転している冷却過程での第１の閾値以上、第２の閾値未満の期間（６）に、第２の温度警告アイコン３０２よりも温度警告レベルの低い第１の温度警告アイコン３０１を表示してしまうと、カメラの内部温度が低下したのにファンが停止しないとユーザに誤解を与えるおそれがある。そこで、本実施形態では、ファンの回転開始後、カメラの内部温度がファン停止温度（第１の閾値）まで低下するまでは、警告レベルの高い第２の温度警告アイコン３０２を表示し続けて、ファンの回転が正常の動作であることをユーザに認識させることができる。
【００９７】
なお、上述したファンＡＵＴＯモードにおけるアイコン／ファン制御においては、カメラの内部温度が第３の閾値以上となってファンを回転させた後、冷却されてカメラの内部温度が第１の閾値以上、第２の閾値未満となった期間（すなわち、図８における期間（６））において、第２の温度警告アイコン３０２とファンアイコン３０３を表示する例を説明した。しかし、このように表示を行うと、カメラの内部温度が同じく第１の閾値以上、第２の閾値未満である、ファンが回転する前の期間（２）と温度警告アイコンの表示形態が異なり、ユーザが混乱するおそれがある。そこで、期間（６）においては、温度警告アイコンは表示しないで、ファンアイコンだけを表示することによって、ファンを回転すべき状態であることだけを通知するようにしても良い。この場合の表示例を図３（ｄ）に示す。カメラの内部温度が第３の閾値以上となってファンを回転させ、カメラの内部温度が第１の閾値を下回るまでの期間（期間（４）〜（６））は、ファンアイコン３０４を赤色で表示し、カメラの内部温度が高温であるためにファンを回転させている状態であることを表す。
【００９８】
［実施形態２］実施形態２では、実施形態１のアイコン／ファン制御に加えて、ファン動作モードを切り替えるためのファンメニューを、カメラの内部温度とファンの動作状態に応じて無効または有効にする例について説明する。本実施形態によれば、冷却効果を重視したユーザインターフェースを提供することができる。
【００９９】
図１２に、実施形態２のファンＡＵＴＯモードにおけるアイコン／ファン制御を示す。Ｓ１２０１、Ｓ１２０２、Ｓ１２０３以外の処理は前述した図５と同様であるため、同一の符号を付して説明を省略する。
【０１００】
カメラの内部温度が第３の閾値以上となったＳ１２０１では、システム制御部２０１は、ファンメニューを無効に設定し、ファンメニュー無効フラグをシステムメモリ２１２に記録する。一方、ファンによってカメラの内部温度が第１の閾値未満まで低下したＳ１２０２では、システム制御部２０１は、ファンメニューを有効に設定し、ファンメニュー有効フラグをシステムメモリ２１２に記録する。
【０１０１】
また、Ｓ５１４でファンメニュー呼び出し操作があると、Ｓ１２０３に進み、システム制御部２０１は、システムメモリ２１２のフラグを参照して、現在ファンメニューが有効であるか否かを判定する。有効である場合はＳ５１５に進んでファンメニューを表示し、ファン動作モードの切り替え操作を受け付ける一方、無効である場合にはＳ５１７に進み、ファンメニューを非表示とし、ファン動作モードの切り替え操作を受け付けないように制御する。すなわち、ファンメニューが無効である場合にはユーザによるファン動作モードの切り替えを不可とする。
【０１０２】
図１３に、実施形態２のファンＯＮモードにおけるアイコン／ファン制御を示す。Ｓ１３０１〜Ｓ１３０４以外の処理は前述した図６と同様であるため、同一の符号を付して説明を省略する。
【０１０３】
カメラの内部温度が第２の閾値以上である場合、Ｓ１３０１では、システム制御部２０１は、温度センサ２１６から現在のカメラの内部温度を取得し、第３の閾値以上となっているか否かを判定する。第３の閾値以上である場合にはＳ１３０３に進み、第３の閾値未満である場合はＳ１３０２に進む。
【０１０４】
Ｓ１３０２では、システム制御部２０１は、ファンメニューを有効に設定し、ファンメニュー有効フラグをシステムメモリ２１２に記録する。
【０１０５】
Ｓ１３０３では、システム制御部２０１は、ファンメニューを無効に設定し、ファンメニュー無効フラグをシステムメモリ２１２に記録する。
【０１０６】
一方、Ｓ６０６でファンメニュー呼び出し操作があると、Ｓ１３０４に進み、システム制御部２０１は、システムメモリ２１２のフラグを参照して、現在ファンメニューが有効であるか否かを判定する。有効である場合はＳ６０７に進んでファンメニューを表示し、ファン動作モードの切り替え操作を受け付ける一方、無効である場合にはＳ６０９に進み、ファンメニューを非表示とし、ファン動作モードの切り替え操作を受け付けないように制御する。すなわち、ファンメニューが無効である場合にはユーザによるファン動作モードの切り替えを不可とする。
【０１０７】
ところで、ファンＡＵＴＯモードにてファン回転中にファンＯＮモードへの切り替えを可能とする（ファンメニュー有効）と、以下のような問題が発生する。ファンＡＵＴＯモードにてファン回転中にファンＯＮモードに一旦切り替え、再度ファンＡＵＴＯモードに切り替えた場合、カメラの内部温度が第３の閾値を下回っていればファンが停止することになる。しかし、この場合は、冷却を促進するために本来ファンを回転させるべきであるため、ファンが停止するのは好ましくない。これに対して、実施形態２ではファン動作モードの切り替えを不可としているので、ファン動作モードの切り替えによって本来ファンが回転すべき状況でファンが停止されて冷却の促進が妨げられてしまうことを防止することができる。
【０１０８】
なお、ファンが故障等の何らかの影響で回転しないエラー状態の場合も、ファン動作モードの設定変更ができないように制限する。
【０１０９】
［実施形態３］実施形態１では、ファンＡＵＴＯモードにおいて、カメラの内部温度が第３の閾値以上となってファンを回転させた後に、第１の閾値までカメラの内部温度が低下するまでは第２の温度警告アイコン３０２の表示が継続される例を説明した。しかし、これでは、カメラの内部温度が第１の閾値以上、第２の閾値未満の場合に、ある程度冷却されて第２の閾値未満まで低下したにも関わらず、第２の温度警告アイコン３０２が表示されたままである。そのため、ユーザはカメラの内部温度が低下しているか認知できず、ファンによる冷却効果を確認できない。そこで、実施形態３では、第１の閾値より高く第２の閾値よりも低い第４の閾値を設け、第４の閾値を下回った場合には第２の温度警告アイコン３０２を消去してファンアイコン３０３だけの表示とする例について説明する。
【０１１０】
図１４に、実施形態３のファンＡＵＴＯモードにおけるアイコン／ファン制御を示す。Ｓ１４０１、Ｓ１４０２以外の処理は前述した図５と同様であるため、同一の符号を付して説明を省略する。
【０１１１】
ファンが回転中で（Ｓ５０１でＮＯ）、カメラの内部温度が第１の閾値未満となる前（Ｓ５１１でＮＯ）に、Ｓ１４０１では、システム制御部２０１は、温度センサ２１６から現在のカメラの内部温度を取得し、第４の閾値未満となっているか否かを判定する。そして、カメラの内部温度が第４の閾値未満である場合にはＳ１４０２に進み、そうでない場合はＳ５１４に進む。
【０１１２】
Ｓ１４０２では、システム制御部２０１は、第２の温度警告アイコン３０２を消去し、ファンアイコン３０３のみを表示する。この結果、図３（ｅ）のような表示となる。このようにすることで、ユーザは、カメラの内部温度はまだファンを回転させるべき温度ではあるが、順調に冷却されていることを認識できる。
【０１１３】
なお、本発明は、デジタルビデオカメラなどの撮像装置に限るものではなく、装置の内部を冷却するためのファンを有する機器であれば適用可能である。
【０１１４】
なお、システム制御部２０１の制御は１つのハードウェアが行ってもよいし、複数のハードウェアが処理を分担することで、装置全体の制御を行ってもよい。
【０１１５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１６】
また、上述した実施形態においては、本発明をデジタルビデオカメラに適用した場合を例にして説明したが、これはこの例に限定されず、装置の内部を冷却するためのファンを有する機器であれば適用可能である。
【０１１７】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005639622.tif 000002
【図２】
0005639622.tif 000003
【図３】
0005639622.tif 000004
【図４】
0005639622.tif 000005
【図５】
0005639622.tif 000006
【図６】
0005639622.tif 000007
【図７】
0005639622.tif 000008
【図８】
0005639622.tif 000009
【図９】
0005639622.tif 000010
【図１０】
0005639622.tif 000011
【図１１】
0005639622.tif 000012
【図１２】
0005639622.tif 000013
【図１３】
0005639622.tif 000014
【図１４】
0005639622.tif 000015